(57)【要約】【課題】環境調査を行なう上で有用な環境情報を取得できる環境調査システムを提案する。【解決手段】家庭に備えられるセントラルヒーティング装置（ＣＨ）１は、当該ＣＨ１に供給される水の水温と、外気温とを計測する。環境サーバ４は、インターネット５を介して、ＣＨ１から、計測された水温と外気温とを取得する。環境サーバ４では、各ＣＨごとにそれらの情報を格納する。また、環境サーバ４には、各ＣＨと当該ＣＨの設置場所等の情報とが対応付けて格納されている。そして、環境サーバ４は、必要に応じて水温などの情報に対して集計処理を行ない、環境調査を行なう他の装置に対して出力する。【選択図】        図１
2004293838.tif 000002
【特許請求の範囲】
【請求項１】
給水される水の水温を計測する水温計測手段と外気温を計測する外気温計測手段との少なくとも一方の手段と、
前記計測された水温と外気温との少なくとも一方を、他の装置に対して出力する出力手段とを備える、セントラルヒーティング装置。
【請求項２】
１つまたは複数のセントラルヒーティング装置から、前記セントラルヒーティング装置に給水された水の水温と、前記セントラルヒーティング装置が設置されている場所の外気温との少なくとも一方を取得する取得手段と、
前記取得した水温と外気温との少なくとも一方を出力する出力手段とを備える、サーバ。
【請求項３】
前記取得した水温と外気温との少なくとも一方に対して、前記セントラルヒーティングに関する情報を用いて集計処理を行なう集計手段とをさらに備え、
前記出力手段は、前記集計された水温と外気温との少なくとも一方を出力する、請求項２に記載のサーバ。
【請求項４】
前記セントラルヒーティングに関する情報は、前記セントラルヒーティングが設置されている場所に関する情報である、請求項３に記載のサーバ。
【請求項５】
他の装置から地域の指定を受付ける地域指定受付手段をさらに含み、
前記出力部は、前記セントラルヒーティングが設置されている場所に関する情報に基づいて、前記指定された地域に設置されている前記セントラルヒーティングから取得した水温と外気温との少なくとも一方を、前記他の装置に対して出力する、請求項２に記載のサーバ。
【請求項６】
他の装置から時間の指定を受付ける時間指定受付手段をさらに含み、
前記出力部は、前記指定された時間に前記セントラルヒーティングにおいて取得された水温と外気温との少なくとも一方を、前記他の装置に対して出力する、請求項２に記載のサーバ。
【請求項７】
前記他の装置から指定された条件に該当する前記セントラルヒーティングに対して、前記セントラルヒーティングにおいて取得された水温と外気温との少なくとも一方を送信するよう指示する指示手段をさらに備える、請求項５または６に記載のサーバ。
【請求項８】
前記取得した水温と外気温との少なくとも一方が、所定の条件である場合に、所定の通知を行なう通知手段をさらに備える、請求項２に記載のサーバ。
【請求項９】
前記取得した水温と外気温との少なくとも一方に基づいて、現在以降の予測を行なう予測手段をさらに備え、
前記通知手段は、前記予測結果が所定の条件である場合に、所定の通知を行なう、請求項８に記載のサーバ。
【請求項１０】
セントラルヒーティング装置とサーバとを含むシステムであって、
前記セントラルヒーティング装置は、
給水される水の水温を計測する水温計測手段と外気温を計測する外気温計測手段との少なくとも一方の手段と、
前記計測された水温と外気温との少なくとも一方を、前記サーバに対して出力する出力手段とを備え、
前記サーバは、前記セントラルヒーティング装置から取得した水温と外気温との少なくとも一方を出力する出力手段を備える、環境調査システム。
【発明の詳細な説明】
【０００１】
【発明の属する技術分野】
この発明はセントラルヒーティング装置、サーバ、および環境調査システム、に関し、特に、環境調査を行なう上で有用な環境情報を取得できるセントラルヒーティング装置、サーバ、および環境調査システムに関する。
【０００２】
【従来の技術】
ガスや電気などのエネルギーの消費量は、気温や水温に大きく影響される。そのため、エネルギーの消費量の予測や、エネルギーの利用実績の調査などの環境調査を行なう上で、気温や水温のデータは不可欠な情報である。
【０００３】
このような情報のうち、気温の情報は、気象庁や気象情報を販売する業者などが提供しており、入手することは可能である。また、水温外気温と相関するものであるため、そのようにして入手した気温の情報に基づいて水温を換算することは可能である。
【０００４】
【特許文献１】
特開２００２−２５１４８４号公報
【０００５】
【発明が解決しようとする課題】
しかしながら、気象庁などからは、比較的広域の気温のデータを得ることは可能であるが、環境調査を行なう上で必要となる居住密度に応じた詳細な気温の分布を示すデータを取得することができないという問題があった。
【０００６】
また、水温のデータは入手しにくく、上述のように気温の情報に基づいて換算する場合には、気温の変化と水温の変化とには時間のずれがあるため、正確な水温のデータを取得することができないという問題があった。
【０００７】
本発明はこのような問題に鑑みてなされたものであって、環境調査を行なう上で有用な水温や気温などの環境情報を取得できるセントラルヒーティング装置、サーバ、および環境調査システムを提供することを目的とする。
【０００８】
【課題を解決するための手段】
上記目的を達成するために、本発明のある局面に従うと、セントラルヒーティング装置は、給水される水の水温を計測する水温計測手段と外気温を計測する外気温計測手段との少なくとも一方の手段と、計測された水温と外気温との少なくとも一方を他の装置に対して出力する出力手段とを備える。
【０００９】
本発明の他の局面に従うと、サーバは、１つまたは複数のセントラルヒーティング装置から、セントラルヒーティング装置に給水された水の水温と、セントラルヒーティング装置が設置されている場所の外気温との少なくとも一方を取得する取得手段と、取得した水温と外気温との少なくとも一方を出力する出力手段とを備える。
【００１０】
また、サーバは、取得した水温と外気温との少なくとも一方に対して、セントラルヒーティングに関する情報を用いて集計処理を行なう集計手段とをさらに備え、上述の出力手段は、集計された水温と外気温との少なくとも一方を出力することが望ましい。
【００１１】
さらに、上述のセントラルヒーティングに関する情報は、セントラルヒーティングが設置されている場所に関する情報であることが望ましい。
【００１２】
あるいは、サーバは、他の装置から地域の指定を受付ける地域指定受付手段をさらに含み、上述の出力部は、セントラルヒーティングが設置されている場所に関する情報に基づいて、指定された地域に設置されているセントラルヒーティングから取得した水温と外気温との少なくとも一方を、他の装置に対して出力することが望ましい。
【００１３】
またあるいは、サーバは、他の装置から時間の指定を受付ける時間指定受付手段をさらに含み、出力部は、指定された時間にセントラルヒーティングにおいて取得された水温と外気温との少なくとも一方を、他の装置に対して出力することが望ましい。
【００１４】
さらに、サーバは、他の装置から指定された条件に該当するセントラルヒーティングに対して、セントラルヒーティングにおいて取得された水温と外気温との少なくとも一方を送信するよう指示する指示手段をさらに備えることが望ましい。
【００１５】
あるいは、サーバは、取得した水温と外気温との少なくとも一方が、所定の条件である場合に、所定の通知を行なう通知手段をさらに備えることが望ましい。
【００１６】
また、サーバは、取得した水温と外気温との少なくとも一方に基づいて、現在以降の予測を行なう予測手段をさらに備え、上述の通知手段は、予測結果が所定の条件である場合に、所定の通知を行なうことが望ましい。
【００１７】
本発明のさらに他の局面に従うと、環境調査システムは、セントラルヒーティング装置とサーバとを含むシステムであって、セントラルヒーティング装置は、給水される水の水温を計測する水温計測手段と外気温を計測する外気温計測手段との少なくとも一方の手段と、計測された水温と外気温との少なくとも一方を、サーバに対して出力する出力手段とを備え、サーバは、セントラルヒーティング装置から取得した水温と外気温との少なくとも一方を出力する出力手段を備える。
【００１８】
【発明の実施の形態】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００１９】
本実施の形態における環境調査システム（以下、システムと言う）は、ガスや電気などのエネルギーを利用して、接続された端末装置に温水を供給すると共に、環境情報を取得するシステムであって、図１にその構成の具体例を示す。なお、以下の例においては、エネルギーとしてガスを利用する場合について述べるが、本発明において利用されるエネルギーはガスに限定されるものではなく、その他のエネルギーであっても同様である。
【００２０】
図１を参照して、本実施の形態におけるシステムは、温水端末１１〜１３を備える家庭にガスを供給すると共に環境情報を取得するシステムである。
【００２１】
温水端末１１〜１３は、床暖房や浴室給湯装置、浴室乾燥機および食器洗浄機等の、ガスで熱せられた温水を利用する器具を含む。ガス供給会社より各家庭に供給されたガスはセントラルヒーティング装置（以下、ＣＨという）１といわれる熱源装置に供給され、ＣＨ１は、給水される水（水道水）を熱して温水を利用する器具である温水端末１１〜１３に給湯する。温水端末が床暖房や浴室給湯装置など、所定温度の湯を保って利用する温水端末である場合、当該温水端末とＣＨ１との間で湯が循環され、ＣＨ１は、循環されている湯を所定温度に保つように、必要なときに加熱する。
【００２２】
ＣＨ１は、遠隔操作を行なうリモートコントローラ（以下、リモコンという）２によって集中的に管理される。
【００２３】
さらに、ＣＨ１は、Ｉ／Ｆ（インタフェース）３を介してインターネット５に接続し、環境サーバ４と通信を行なう。なお、ＣＨ１とＩ／Ｆ３との通信は、インターネット５に替えて、ＬＡＮ（Ｌｏｃａｌ  Ａｒｅａ  Ｎｅｔｗｏｒｋ）等の専用回線を介した通信であってもよいし、無線による通信であってもよい。また、ＣＨ１とインターネット５とを接続するＩ／Ｆ３は、Ｃ１本体ではなく、リモコン２に接続される形態であってもよい。
【００２４】
さらに、システムの構成は上述の構成に限定されず、いずれかの機能をいずれかの装置が備える場合は、必ずしも全ての装置がなくても構わない。また、これらの装置は一体型の装置であっても構わない。本実施の形態においては、図１に示される如く、各々独立した装置であるものとして説明を行なう。
【００２５】
次に、本システムに含まれる各要素について、以下にその構成および機能の説明を行なう。なお、温水端末１１〜１３は、床暖房や浴室乾燥機等、一般的な温水端末であるため、ここでの詳細な説明は行なわない。
【００２６】
図２は、図１に示されるＣＨ１の原理を模式的に示す図である。
図２を参照して、ＣＨ１は、水道管から引込まれて供給される水を、ガスを燃焼させることで熱し、各温水端末に対して給湯する。その際、供給される水の温度を入水サーミスタ１０３（図３参照）で計測し、その流量を入水流量計１０４（図３参照）で計測する。また、給湯する湯の温度を出湯サーミスタ１０５（図３参照）で計測する。また、水を熱するのに必要なガスの量は、ガスバルブを動作させることで調整される。また、ＣＨ１の筐体内部には、内部温度を測定する外気サーミスタ１０９（図３参照）が設置されており、ＣＨ１使用中の異常加熱や厳冬期の凍結を監視している。ここで、当該ＣＨ１が設置されている場所は、屋外であることが一般的であって、ＣＨ１が非燃焼時は、外気サーミスタ１０９は、当該ＣＨ１が設置されている場所の外気を測定しているに等しい。
【００２７】
このようなＣＨ１の機能構成の具体例を、図３のブロック図に示す。
図３を参照して、ＣＨ１は、ＣＰＵ（Ｃｅｎｔｒａｌ  Ｐｒｏｃｅｓｓｉｎｇ  Ｕｎｉｔ）等から構成され、ＣＨ１全体の制御を行なう制御部１０１と、制御部１０１で実行されるプログラムや、各種データを記憶する記憶部１０２と、図２に示されるガスバルブを動作させる燃料供給部１０６と、Ｉ／Ｆ３と通信を行なうための通信Ｉ／Ｆ１０８と、リモコン２と通信を行なうためのリモコンＩ／Ｆ１０７と、供給される水の温度を計測する入水サーミスタ１０３と、供給される水の流量を計測する入水流量計１０４と、給湯する湯の温度を計測する出湯サーミスタ１０５と、外気温を計測する外気サーミスタ１０９とを含んで構成される。
【００２８】
上述のＣＨ１は、リモコンＩ／Ｆ１０７を介して、ユーザから指示の入力を受付けたリモコン２より、各種制御信号を受付ける。そして、リモコンＩ／Ｆ１０７は、リモコン２より受付けた制御信号を制御部１０１に対して送出する。
【００２９】
入水サーミスタ１０３は、ＣＨ１に供給される水の温度を計測し、計測結果を制御部１０１に対して送出する。入水サーミスタ１０３における水温の計測は、当該ＣＨ１において給湯が停止しているとき（給湯動作停止時）ではなく、給湯が行なわれているとき（給湯動作時）に実行されることが好ましい。また、給湯動作停止直後であっても好ましい。なぜなら、給湯動作停止時に、ＣＨ１内に滞留している水の水温は、以前の給湯動作によって加熱されている場合などがあり、正確な給水温度ではないことがあるためである。
【００３０】
また、入水流量計１０４は、ＣＨ１に供給される水の流量を計測し、計測結果を制御部１０１に対して送出する。
【００３１】
また、外気サーミスタ１０９は、ＣＨ１が設置されている場所の外気温を計測し、計測結果を制御部１０１に対して送出する。外気サーミスタ１０９における外気の計測は、当該ＣＨ１が給湯または暖房動作時、あるいは給湯または暖房動作停止直後ではなく、給湯動作停止時に実行されることが好ましい。なぜなら、発熱中は実外気温との乖離が大きいためである。
【００３２】
制御部１０１は、リモコンＩ／Ｆ１０７より入力された制御信号に基づいて、記憶部１０２に記憶されているプログラムを実行する。また、制御部１０１は、入水サーミスタ１０３および入水流量計１０４より入力された計測結果と、リモコンＩ／Ｆ１０７より入力された制御信号が示す湯の温度とに基づいて、供給される水を熱するために供給するべきガス量を算出する。そして、制御部１０１は、燃料供給部１０６に対して、所定量のガスを供給するようガスバルブを動作させるための制御信号を送出する。
【００３３】
燃料供給部１０６は、制御部１０１より入力された制御信号に基づいて、所定量のガスを供給するため、図示しない機械的な構造を制御してガスバルブを調整する。また、燃料供給部１０６は、ガスバルブを調整して供給したガス量の情報を制御部１０１に対して送出する。
【００３４】
出湯サーミスタ１０５は、ＣＨ１から給湯される湯の温度を計測し、計測結果を制御部１０１に対して送出する。
【００３５】
制御部１０１は、さらに、出湯サーミスタ１０５より入力された計測結果に基づいて、供給を続けるべきガス量を算出する。そして、制御部１０１は、燃料供給部１０６に対して、所定量のガスを供給するよう、あるいはガスの供給を終了するようガスバルブを動作させるための制御信号を送出する。
【００３６】
さらに、制御部１０１は、入水サーミスタ１０３から入力された供給された水の温度の情報と、外気サーミスタ１０９から入力された外気温とを、記憶部１０２の所定領域に記憶する。以下、この供給された水の温度の情報と外気温とを、環境情報と言う。
【００３７】
なお、ＣＨ１は、上述の入水サーミスタ１０３に替えて、ＣＨ１において供給したガス量を計測する機能を備える場合、出湯サーミスタで計測された出湯温度と、入水流量計１０４で計測された入水量と、計測されたガス量とに基づいて、制御部１０１において当該ＣＨ１に供給された水の温度を逆算してもよい。その場合、逆算して得られた水温を、入水サーミスタ１０３から入力された供給された水の温度の情報と同様に扱う。
【００３８】
そして、ＣＨ１は、所定の時期に、記憶部１０２の所定領域に記憶した上述の環境情報を、記憶部１０２に予め記憶されている当該ＣＨ１に固有の識別情報（ＣＨ１のＩＤ）と共に、Ｉ／Ｆ３およびインターネット５を介して環境サーバ４に送出する。
【００３９】
ＣＨ１から環境サーバ４に対する情報の送出は、所定期間（たとえば１週間など）ごとに行なわれる。あるいは、環境サーバ４から情報を送出するよう指示信号を受信した際に行なわれるものであってもよい。なお、その場合には、記憶部１０２の所定領域に記憶されている環境情報に替えて、指示信号を環境サーバ４から受信した際に入水サーミスタ１０３で計測された水温の情報と外気サーミスタ１０９で計測された外気温の情報とを送出してもよく、記憶部１０２の所定領域に入水サーミスタ１０３で計測された水温の情報外気サーミスタ１０９で計測された外気温の情報とを記憶する必要はない。また、環境サーバ４に対して送出される環境情報は、当該所定期間の所定時期（当該所定期間の始めなど）であってもよいし、当該所定期間に複数回計測された環境情報から算出された値（平均や最低値など）であってもよい。
【００４０】
次に、環境サーバ４の機能構成の具体例を図４のブロック図に示し、環境サーバ４の機能、および環境サーバ４における処理について説明する。
【００４１】
図４を参照して、環境サーバ４は、ＣＰＵ等から構成され、環境サーバ４全体の制御を行なう制御部４０１と、制御部４０１で実行されるプログラムや、各種データを記憶する記憶部４０２と、インターネット５を介して他の装置と通信を行なうための通信Ｉ／Ｆ４０３と、制御部４０１での計算結果を出力する出力部４０４とを含んで構成される。
【００４２】
なお、環境サーバ４は、通信機能を備える一般的なパーソナルコンピュータ等のコンピュータで構築されるものであって、上述の機能構成は、通信機能を備える一般的なコンピュータの機能構成である。そのため、環境サーバ４の機能構成は、必ずしも図４に示される構成に限定されるものではない。たとえば、各種指示情報などを入力するための入力部などがさらに含まれていても構わない。
【００４３】
上述の通信Ｉ／Ｆ４０３は、インターネット５を介して、ＣＨ１から送出された当該ＣＨ１における環境情報などを取得する。そして、通信Ｉ／Ｆ４０３は、取得した情報を制御部４０１に送出する。
【００４４】
制御部４０１は、通信Ｉ／Ｆ４０３より入力されたＣＨ１から受信した環境情報を、図５に示されるように、記憶部４０２の所定領域に格納する。図５を参照して、記憶部４０２の所定領域には、当該環境サーバ４が管理している各ＣＨごとに、当該ＣＨから受信した環境情報が格納される。また、ＣＨ１から受信した環境情報は、ＣＨ１がその環境情報を取得した期間（期間１，期間２，期間３，…）ごとに格納される。先述のように、ＣＨ１においては、所定期間ごとのＣＨ１における水温と外気温との情報を環境サーバ４に送出するため、環境サーバ４では、その所定期間ごとにＣＨ１における水温と外気温との情報を格納する。あるいは、所定期間ごとにＣＨ１から送信された環境情報を、環境サーバ４において、任意の期間間隔に集計しなおして格納してもよい。
【００４５】
また、記憶部４０２の所定領域には、予め、各ＣＨと当該ＣＨに関する情報とが、図６に示すように対応付けられて格納されている。図６を参照して、ＣＨに関する情報として、当該ＣＨを設置している場所を示す設置場所コードと、利用者の氏名などの利用者情報と、設置状況とが格納されている。上述の設置場所コードは、当該ＣＨが設置されている場所を示す地域情報であって、都道府県単位や、町単位や、番地単位など、コード化された情報である。あるいは、地域情報として電話番号や郵便番号などであってもよい。また、設置状況としては、当該ＣＨが屋外にあるか、パイプシャフト内にあるか、当該ＣＨが向いている方角や、路地に設置されているか否か、などの情報が該当する。
【００４６】
そして、制御部４０１は、記憶されているプログラムを実行し、記憶部４０２の所定領域に格納されているＨＣ１からの環境情報と当該ＣＨに関する情報とに基づいて処理を実行し、出力部４０４から環境調査を行なう装置に対して出力する。
【００４７】
本発明において、制御部４０１における処理の内容については限定されるものではないが、具体的には、設置場所コードなどを用いて環境情報について所定の集計処理を行ない、集計処理を行なった環境データを環境調査を行なう装置に対して出力部４０４から出力してもよい。そのようにすることで、環境調査を行なう装置において、各家庭に設置されているＣＨを利用して、気温データおよび水温データの、居住者密度に応じた詳細な分布情報を得ることができる。このようなデータを取得することで、他の装置では、たとえばエネルギー消費量の予測や、エネルギー消費実績の調査などの環境調査を適切に行なうことができる。
【００４８】
また、制御部４０１における他の処理として、環境調査を行なう装置からの指示を通信Ｉ／Ｆ４０３を介して受信し、ＣＨに関する情報に基づいて、希望地域に設置されているＣＨに対して環境情報を送信するよう指示をすることができる。あるいは、希望時間の環境情報を送信するよう指示をすることができる。そして、取得した希望地域の環境情報および／あるいは希望時間の環境情報を、出力部４０４から当該環境調査を行なう装置に対して出力してもよい。また、環境調査を行なう装置から受信した希望地域および／あるいは希望時間に該当する環境情報を、記憶部４０２の所定領域から抽出し、抽出した希望地域の環境情報および／あるいは希望時間の環境情報を、出力部４０４から当該環境調査を行なう装置に対して出力してもよい。このようにすることで、環境情報を用いて各種の処理や調査を行なう装置に対して、有用な環境情報を提供することができる。このようなデータを取得することで、環境調査を行なう装置では、より正確な処理や調査を行なうことができる。
【００４９】
また、制御部４０１における他の処理として、取得した個別のＣＨ１の環境情報から、当該ＣＨ１を設置している顧客に対する注意換気を行なうサービスや、注意換気情報を他の装置に対して出力するサービスを提供することができる。具体的には、記憶装置４０２に記憶されているプログラムを実行して、取得した水温情報と外気温情報とを組合せて予測処理を行ない、水温が０℃になる以前に凍結を予防するための通知を、該当する家庭あるいは当該家庭に対して各種情報を提供する業者に対して、通信Ｉ／Ｆ４０３およびインターネット５を介して、電子メールあるいはリモコン２の表示情報を送信することができる。あるいは、取得した外気温が、ＣＨ１の能力限界を下回る際に、補助暖房を利用するよう促がす情報を送信することができる。あるいは、取得した外気温が、予め設定した温度を下回る際に、当該ＣＨ１の排気口から白煙が出る旨のアナウンスを送信することができる。
【００５０】
なお、上述の説明においては、ＣＨ１は、環境情報として、供給される水の水温と外気温とを計測して環境サーバ４に出力するものとしたが、環境情報は水温と外気温とに限定されるものではなく、たとえば気圧や湿度や風向きや風力や日照時間や震度など、ＣＨ１で計測可能なその他の情報であってもよい。
【００５１】
さらに、上述の環境調査システムにおいて行なわれる環境情報の取得方法を、プログラムとして提供することもできる。このようなプログラムは、コンピュータに付属するフレキシブルディスク、ＣＤ−ＲＯＭ（Ｃｏｍｐａｃｔ  Ｄｉｓｃ−Ｒｅａｄ  Ｏｎｌｙ  Ｍｅｍｏｒｙ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００５２】
提供されるプログラム製品は、ハードディスクなどのプログラム格納部にインストールされて実行される。なお、プログラム製品は、プログラム自体と、プログラムが記録された記録媒体とを含む。
【００５３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本実施の形態における環境調査システムの構成の具体例を示す図である。
【図２】ＣＨ１の原理を模式的に示す図である。
【図３】ＣＨ１の機能構成の具体例を示す図である。
【図４】環境サーバ４の機能構成の具体例を示す図である。
【図５】記憶部４０２の所定領域に格納される環境情報の具体例を示す図である。
【図６】記憶部４０２の所定領域に格納される、各ＣＨごとの当該ＣＨに関する情報の具体例を示す図である。
【符号の説明】
１  ＣＨ、２  リモコン、３，７  Ｉ／Ｆ、４  環境サーバ、５  インターネット、１１〜１３  温水端末、１０１  ＣＨの制御部、１０２  記憶部、１０３入水サーミスタ、１０４  入水流量計、１０５  出湯サーミスタ、１０６  熱源供給部、１０７  リモコンＩ／Ｆ、１０８  ＣＨの通信Ｉ／Ｆ、１０９  外気サーミスタ、４０１  環境サーバの制御部、４０２  環境サーバの記憶部、４０３  環境サーバの通信Ｉ／Ｆ、４０４  出力部。
【図１】
2004293838.tif 000003
【図２】
2004293838.tif 000004
【図３】
2004293838.tif 000005
【図４】
2004293838.tif 000006
【図５】
2004293838.tif 000007
【図６】
2004293838.tif 000008